【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】  ウェブページを構成し、かつ構成されたウェブページをディスプレイ装置上に表示する方法であって、
前記ウェブページを構成する情報を引き出す際に使用するためのアドレスを含む、前記ウェブページを検索する命令を受け取り、
前記アドレスを使用して前記情報を引き出し、
前記構成されたウェブページを生成するために前記ディスプレイ装置上の表示より前に前記ウェブページを構成し、
特定の基準に基づいて前記構成されたウェブページを前記ディスプレイ装置上に表示されるように命令することとを含むことを特徴とする、
ウェブページを構成しかつ構成されたウェブページをディスプレイ装置上に表示する方法。
【請求項２】  前記受け取るステップが、何時前記ウェブページが前記ディスプレイ装置上に表示されるように命令する指示を行うタイマーイベント情報を含み、かつ前記命令ステップが、前記タイマーイベント情報に基づいて前記構成されたウェブページが表示されるように命令することを含むことを特徴とする請求項１に記載の方法。
【請求項３】  その終了で前記タイマーイベント情報が、トリガーが前記命令ステップを起動するように発生される特定の時間量を含むことを特徴とする請求項２に記載の方法。
【請求項４】  前記命令するステップが、トリガーを検出するときに表示するための前記構成されたウェブページを送信することを特徴とする請求項３に記載の方法。
【請求項５】  前記命令するステップが、構成されたウェブページが表示されるべきであることを命令するコマンドを受け取るステップをさらに含むことを特徴とする請求項１から４の何れか１つに記載の方法。
【請求項６】  コマンドを受信するステップが、前記構成されたウェブページが表示されるべきことを命令する前記コマンドの受信と同時に番組を受け取ることを含むことを特徴とする請求項５に記載の方法。
【請求項７】  前記命令ステップが、さらに、番組を、前記構成されたウェブページを同時に表示するための前記ディスプレイ装置に送信するステップを含むことを特徴とする請求項５または６に記載の方法。
【請求項８】  前記命令ステップが、前記番組の表示を前記構成されたウェブページの表示と同期化することを特徴とする請求項７に記載の方法。
【請求項９】  前記命令ステップが、さらに前記アドレスが前記ディスプレイ装置上に表示されるべきであることを命令するステップを含むことを特徴とする請求項１から８の何れか１つに記載の方法。
【請求項１０】  前記命令ステップが、さらに前記複数の構成されたウェブページに関連した複数のアドレスが前記ディスプレイ装置上に表示されるべきことを命令するステップを含むことを特徴とする請求項１から９の何れか１つに記載の方法。
【請求項１１】  前記ディスプレイ装置上に後で再表示するためのアドレスのリストを保管するステップをさらに含むことを特徴とする請求項９または１０に記載の方法。
【請求項１２】  前記構成ステップが、このウェブページの将来の表示の予想において複数の構成されたウェブページを保管することを特徴とする請求項１から１１の何れか１つに記載の方法。
【請求項１３】  前記引き出す命令が、プログラムデータストリームの一部として受け取られることを特徴とする請求項１から１２の何れか１つに記載の方法。
【請求項１４】  前記番組データストリームが、放送テレビ、ケーブル、衛生、マイクロ波、ラジオ、光ファイバ、電話、無線電話、インターネット、イントラネット、公衆通信ネットワーク、および私設通信ネットワークから選択される伝送媒体を介して受信されることを特徴とする請求項１３に記載の方法。
【請求項１５】  前記引き出す命令が、ユーザの方向のユーザインタフェースを介して受信されることを特徴とする請求項１から１４の何れか１つに記載の方法。
【請求項１６】  前記引き出す命令が、メディア再生装置から受信されることを特徴とする請求項１から１２の何れか１つに記載の方法。
【請求項１７】  前記メディア再生装置が、ビデオテーププレイヤー、ディジタルビデオプレイヤー、ディジタルメディアプレイヤー、あるいはディジタルファイルサーバから選択されることを特徴とする請求項１６に記載の方法。
【請求項１８】  前記引き出す命令が、遠隔データサーバから通信リンクを介して受信されることを特徴とする請求項１から１２の何れか１つに記載の方法。
【請求項１９】  前記通信リンクが、インターネット、イントラネット、公衆ネットワーク、および私設ネットワークから選択される通信ネットワークを含むことを特徴とする請求項１８に記載の方法。
【請求項２０】  前記引き出す命令が、ビデオ信号の垂直帰線消去区間、ビデオ信号の水平帰線消去区間、ビデオ信号に対する関連オーディオチャネル、あるいはデータパケット内のいずれかで受信されることを特徴とする請求項１から１９の何れか１つに記載の方法。
【請求項２１】  前記ディスプレイ装置が、１つまたはそれ以上のディスプレイを含み、各ディスプレイは、テレビ、コンピュータモニタ、電話装置、無線電話装置、あるいはパーソナルディジタルアシスタント（ＰＤＡ）であることを特徴とする請求項１から１２０の何れか１つに記載の方法。
【請求項２２】  ウェブページを構成し、そして、構成されたウェブページをディスプレイ装置上に表示する装置であって、
前記ウェブページを構成する情報を引き出す際に使用するためのアドレスを含む、前記ウェブページを検索する命令を受け取る受信手段と、
前記アドレスを使用して前記情報を引き出す検索手段と、
前記構成されたウェブページを生成するために前記ディスプレイ装置上のその表示より前に前記ウェブページを構成する構成手段と、
特定の基準に基づいて前記構成ウェブページを前記ディスプレイ装置上に表示する表示生成手段と
を備えていることを特徴とする装置。
【請求項２３】  タイマーイベント情報を受け取り、そして、何時前記ディスプレイ装置上に表示するための前記構成されたウェブページの公表を行うかの指示を行うタイマーイベント手段をさらに含み、かつ前記表示生成手段が、前記トリガーに基づいて前記構成されたウェブページを表示するように構成されていることを特徴とする請求項２２に記載の装置。
【請求項２４】  その終了で前記タイマーイベント手段が、前記構成ウェブページを表示するように前記表示生成手段を作動させる特定の時間量を含むことを特徴とする請求項２３に記載の装置。
【請求項２５】  前記ディスプレイ装置上のその表示より前に前記構成ウェブページを記憶するメモリ手段をさらに含むことを特徴とする請求項２２から２４の何れか１つに記載の装置。
【請求項２６】  前記検索手段が、さらに前記情報を引き出すウェブブラウザプログラムを含むコンピュータ可読プログラムコードを含むことを特徴とする請求項２２から２５の何れか１つに記載の装置。
【請求項２７】  前記検索手段が、広告、スポーツ、あるいは音楽コンテンツを引き出すように構成されていることを含むことを特徴とする請求項２２から２６の何れか１つに記載の装置。
【請求項２８】  前記表示生成手段が、前記番組および前記構成ウェブページを前記ディスプレイ装置の単一のディスプレイ上に同時に表示するように構成されていることを特徴とする請求項２２から２７の何れか１つに記載の装置。
【請求項２９】  前記表示生成手段が、前記ディスプレイ装置のディスプレイ上に番組を表示し、そして、前記ディスプレイ装置の第２のディスプレイ上に前記構成されたウェブページを表示するように構成されていることを特徴とする請求項２２から２７の何れか１つに記載の装置。
【請求項３０】  各ディスプレイが、テレビ受像機、コンピュータモニタ、電話装置、無線電話装置、あるいはパーソナルディジタルアシスタント（ＰＤＡ）であることを特徴とする請求項２８または２９に記載の装置。
【請求項３１】  前記装置が、パソコン、テレビ、ケーブルボックス、衛星ボックス、ラジオ、電話、電話応答装置、無線電話装置、無線インターネット装置、聴覚障害者のための電話、あるいはパーソナルディジタルアシスタント（ＰＤＡ）に統合されることを特徴とする請求項２２から３０の何れか１つに記載の装置。
【請求項３２】  さらに、ユーザの方向で引き出す前記命令を引き出すユーザインタフェースをさらに含むことを特徴とする請求項２２から３１の何れか１つに記載の装置。
【請求項３３】  前記検索手段が、メディア再生装置から引き出される命令を受信することを特徴とする請求項２２から３２の何れか１つに記載の装置。
【請求項３４】  前記メディア再生装置が、ビデオテーププレイヤー、ディジタルビデオプレイヤー、ディジタルメディアプレイヤー、あるいはディジタルファイルサーバから選択されることを特徴とする請求項３３に記載の装置。
【請求項３５】  遠隔データへの通信リンクとの接続をさらに含み、そして、前記受信手段が、前記通信リンクを介して前記データサーバから引き出す前記命令を受信することを特徴とする請求項２２から３４の何れか１つに記載の装置。
【請求項３６】  前記通信リンクが、インターネット、イントラネット、公衆通信ネットワーク、および私設通信ネットワークからなるグループから選択される通信ネットワークを含むことを特徴とする請求項３５に記載の装置。
【請求項３７】  ディスプレイ手段上に遅延表示するための１つあるいはそれ以上のウェブページを構成するように１つあるいはそれ以上の番組受信機に命令する番組伝送システムであって、
プログラムデータストリームを供給する番組供給源と、
１つあるいはそれ以上の番組に関連した１つあるいはそれ以上のアドレスを前記番組データストリームに挿入し、かつ前記ウェブページを含む情報の記憶ロケーションを識別するエンコーダと、
伝送媒体を介して前記番組データストリームを１つあるいはそれ以上の番組受信機に送信するデータ送信器と
を備えていることを特徴とする番組伝送システム。
【請求項３８】  前記アドレスに関連したタイマーイベントを発生するように構成されたタイマーイベント発生器をさらに含み、タイマーイベント情報が、前記構成ウェブページの表示を遅延させる期間を指示し、そして前記エンコーダが、前記タイマーイベント情報を前記番組データストリームに符号化するように構成されていることを特徴とする請求項３８に記載の番組伝送システム。
【請求項３９】  その内部に前記アドレス、前記タイマーイベント情報および番組スケジュールを含む録音テープリストデータベースが含まれるメモリ手段をさらに含み、前記番組スケジュールが、前記アドレスおよび前記タイマーイベント情報に関連していることを特徴とする請求項３８に記載の番組伝送システム。
【請求項４０】  １つあるいはそれ以上のコマンドを番組受信機に発生して、前記構成されたウェブページを表示するコマンド発生手段をさらに含み、そして、前記エンコーダが、ディスプレイコマンドを前記番組データストリームを符号化するように構成されていることを特徴とする請求項３７から３９の何れか１つに記載の番組伝送システム。
【請求項４１】  前記エンコーダが、前記アドレスをビデオ信号の垂直帰線消去区間、ビデオ信号の水平帰線消去区間、ビデオ信号に対する関連オーディオチャネル、あるいはデータパケットのいずれかの内部に挿入するように構成されていることを特徴とする請求項３７から４０の何れか１つに記載の番組伝送システム。
【請求項４２】  前記番組データストリームを受信するように構成された中間配信システムをさらに含み、前記中間配信システムが、さらに
前記アドレスを前記データストリームから復号化するデコーダと、
復号化アドレスを記憶するメモリを有するデータサーバと
を有し、
前記アドレスが、前記データサーバから前記番組受信機に伝送されるように、前記データサーバが、前記番組受信機に接続されていることを特徴とする請求項３７から４１の何れか１つに記載の番組伝送システム。
【請求項４３】  前記アドレスに関連したタイマーイベントを発生するように構成されたタイマーイベント発生器をさらに含み、前記中間配信システムの前記デコーダが、番組データストリームからのタイマーイベント情報を符号化するように構成されており、そして、
前記データサーバが、前記タイマーイベント情報を記憶するように構成されている
ことを特徴とする請求項４２に記載の番組伝送システム。
【請求項４４】  番組伝送システムから命令を１つまたはそれ以上の番組受信機に送信し、前記番組受信機に命令して、ディスプレイ手段上に遅延表示するためのウェブページを構成する方法であって、
前記ウェブページを含む情報の記憶位置を識別するプログラムに関連したアドレスを選択するステップと、
前記選択アドレスを番組データストリームに符号化するステップと、
前記番組データストリームを１つまたはそれ以上の番組受信機に送信するステップとを含むことを特徴とする方法。
【請求項４５】  さらに前記アドレスをタイマーイベント情報に関連付けるステップをさらに含み、前記タイマーイベント情報が、前記構成されたウェブページの表示を遅延させる前記期間を示し、そして、前記符号化ステップが、さらに前記タイマーイベント情報を前記プログラムデータストリームに符号化することを含むことを特徴とする請求項４４に記載の命令を送信する方法。
【請求項４６】  前記タイマーイベント情報を録音テープリストから選択するステップをさらに含み、前記タイマーイベント情報が、一緒に前記録音テープリストを含む番組スケジュールに関連することを特徴とする請求項４５に記載の命令を送信する方法。
【請求項４７】  前記録音テープリスト情報が、番組編成担当者によって遠隔アクセスでき、更新できることを特徴とする請求項４６に記載の方法。
【請求項４８】  前記符号化ステップが、さらに前記アドレスをビデオ信号の垂直帰線消去区間、ビデオ信号の水平帰線消去区間、ビデオ信号に対する関連オーディオチャネル、あるいはデータパケットのいずれかの内部に挿入することを特徴とする請求項４５から４７の何れか１つに記載の方法。
【請求項４９】  前記符号化ステップが、さらに前記アドレスを、ビデオ信号の垂直帰線消去区間、ビデオ信号の水平帰線消去区間、ビデオ信号に対する関連オーディオチャネル、あるいはデータパケットのいずれかの内部に挿入すること含むことを特徴とする請求項４４から４７の何れか１つに記載の方法。
【請求項５０】  前記ウェブページを表示するための命令を、前記番組データストリーム内に挿入するステップと、
前記番組データストリームを、表示するための前記命令と共に、前記番組受信機に送信するステップと
をさらに含むことを特徴とする請求項４４から４９の何れか１つに記載の方法。
【請求項５１】  前記番組データストリームが、放送テレビジョン、ケーブル、衛星、マイクロ波、ラジオ、光ファイバ、電話、無線電話、および通信ネットワークから選択される伝送媒体を介して送信されることを特徴とする請求項５０に記載の方法。
【請求項５２】  前記送信ステップが、さらに
前記番組データストリームを中間配信システムで受信するステップと、
前記アドレスを前記番組データストリームから復号化するステップと、
前記アドレスを前記中間配信システムのメモリに記憶するステップと、
前記中間配信システムからの前記アドレスを前記番組受信機に送信するステップと
を含むことを特徴とする請求項４４から５１の何れか１つに記載の方法。
【請求項５３】  前記アドレスが、前記タイマーイベント情報に関連付けられており、前記アドレスおよび前記タイマーイベント情報が、前記前記中間配信システムから前記番組受信機に送信されることを特徴とする請求項５２に記載の方法。
【請求項５４】  番組受信機に取り入れるウェブブラウザプログラムと併用するためのウェブブラウザプラグインプロダクトであって、前記プラグインプロダクトが、コンピュータ可読媒体に取り入れるコンピュータ可読プログラムコード手段を有するコンピュータ可読媒体を含み、前記コンピュータ可読プログラムコード手段が、
番組供給源から前記番組受信機への命令の伝送を前記ウェブブラウザに肯定応答させる命令と、
前記番組供給源から受信された命令に基づいて前記番組受信機との通信リンクを介して前記ウェブブラウザに情報を通信ネットワークから引き出させる命令と、
前記引き出された情報を前記ウェブブラウザに前記番組受信機のメモリモジュールに組み立てさせる命令と、
前記組み立てられた情報を前記ウェブブラウザにアクセスし、かつ前記組み立てられた情報を前記レシーバに接続されたディスプレイ手段上に表示させる命令とを含むことを特徴とするウェブブラウザプラグインプロダクト。
【請求項５５】  前記番組供給源が、前記命令を番組データストリームで前記番組受信機に送信する番組伝送システムであることを特徴とする請求項５４に記載のウェブブラウザプラグインプロダクト。
【請求項５６】  前記番組供給源が、ビデオテーププレイヤー、ディジタルビデオディスクプレイヤー、ディジタルメディアプレイヤー、およびディジタルファイルサーバからなるメディア再生装置であることを特徴とする請求項５４または５５に記載のウェブブラウザプラグインプロダクト。
【請求項５７】  前記コンピュータ可読プログラムコード手段が、さらに前記受信命令のタイマーイベント情報に基づいて組み立てられた情報のアクセスおよび表示を前記ウェブブラウザプログラムに遅延させる命令を含むことを特徴とする請求項５４から５６の何れか１つに記載のウェブブラウザプラグインプロダクト。
【請求項５８】  前記コンピュータ可読プログラムコード手段が、さらに前記番組受信機のタイマーイベントモジュールを調べて、前記タイマーイベント情報によって課された遅延が終了されるかどうかを前記ウェブブラウザプログラムに決定させる命令を含むことを特徴とする請求項５７に記載のウェブブラウザプラグインプロダクト。
【請求項５９】  前記コンピュータ可読プログラムコード手段が、さらに前記番組供給源からのコマンドの受信まで前記組み立てられた情報のアクセスおよび表示を前記ウェブブラウザプログラムに遅延させる命令を含むことを特徴とする請求項５４から５８の何れか１つに記載のウェブブラウザプラグインプロダクト。
【請求項６０】  前記番組供給源からの前記命令が同型資源識別子を含むことを特徴とする請求項５４から５９の何れか１つに記載のウェブブラウザプラグインプロダクト。
【請求項６１】  前記情報が、１つまたはそれ以上のウェブページを含むことを特徴とする請求項５４から６０の何れか１つに記載のウェブブラウザプラグインプロダクト。
【請求項６２】  番組の表示とともにディスプレイ手段上に前記番組に関連した予め構成されたウェブページを表示するための方法であって、前記予め構成されたウェブページが、アドレスによって識別され、そして、メモリに記憶される方法において、
前記番組を前記ディスプレイ装置上に表示し、
前記予め構成されたウェブページの表示を前記表示番組の一部の上に重ね合わせることとを含むことを特徴とする方法。
【請求項６３】  表示された番組の代りに、予め構成されたウェブページの表示を用いることを特徴とする請求項６２に記載の方法。
【請求項６４】  表示された番組の一部の上に、複数の予め構成されたウェブページに関する複数の表示を重ね合せることをさらに含むことを特徴とする請求項６２または６３に記載の方法。
【請求項６５】  １つまたはそれ以上の予め構成されたウェブページを識別するアドレスのリストの表示を重ね合わせることをさらに含むことを特徴とする請求項６２から６４の何れか１つに記載の方法。
【請求項６６】  複数のアドレスを、後で再表示するためにメモリに保管することをさらに含むことを特徴とする請求項６２から６５の何れか１つに記載の方法。
【請求項６７】  番組の表示とともにディスプレイ装置上に前記番組に関連した予め構成されたウェブページを表示するための方法であって、前記予め構成されたウェブページが、アドレスによって識別され、そして、メモリに記憶される方法において、
前記番組を、前記ディスプレイ装置の第１のウィンドウ上に表示し、
少なくとも１つの予め構成されたウェブページを、前記ディスプレイ装置の第２のウィンドウ上に表示することを含むことを特徴とする方法。
【請求項６８】  複数の予め構成されたウェブページを、前記ディスプレイ装置上の複数のウィンドウに表示することをさらに含むことを特徴とする請求項６７に記載の方法。
【請求項６９】  ユーザによって向けられる各ウィンドウをリサイジングすることをさらに含むことを特徴とする請求項６７または６８に記載の方法。
【請求項７０】  複数の予め構成されたウェブページを、前記ディスプレイ装置上の第２のウィンドウに連続して表示することをさらに含むことを特徴とする請求項６７から６９の何れか１つに記載の方法。
【請求項７１】  予め構成された各ウェブページを識別するアドレスのリストを含むさらに他のウィンドウを表示することをさらに含むことを特徴とする請求項６７から７０の何れか１つに記載の方法。
【請求項７２】  複数のウィンドウのうちの選択されたものを、相互に、部分的にまたは全体的に表示することをさらに含むことを特徴とする請求項６７から７１の何れか１つに記載の方法。